(57)【要約】      （修正有）【課題】Ｖ形ヒートシール部分が最後まで界面剥離していくか、凝集破壊と層間剥離し、基材フィルムを破壊することなく蒸気を逃がす電子レンジ加熱調理用包装袋の提供。【解決手段】下面部１の両側縁と開口側上面部および奥域側上面部の両側縁にサイドシールが施され下面部１と奥域側上面部２ｂの奥域端が閉じており、被包装物を収容する開口を有し他端が閉じている。合掌部には、サイドシール間のスパンで袋内部と連通する弓形の未シール部分を有するように合掌部ヒートシールが施されている。この合掌部ヒートシールの略中央部には、蒸気逃がし用シール形状部を備え、この蒸気逃がし用シール形状部は、袋内方へＶ形に突出するＶ形ヒートシール部を有し、このＶ形ヒートシール部が、他のヒートシール部よりも少ない回数または低い温度でヒートシールされ、かつシーラントフィルムの接着面にインク層が形成されている。【選択図】図１
0003134158.tif 000002
【実用新案登録請求の範囲】
【請求項１】
内面がシーラントフィルムである積層フィルムより製袋されてなり、電子レンジ加熱食品を充填して開口を密封し食品包装体として電子レンジで加熱して袋が膨脹し破袋する前に剥離して袋内蒸気を逃がす蒸気逃がし用シール形状部を合掌部ヒートシール部に備えている電子レンジ加熱調理用密封袋において、前記蒸気逃がし用シール形状部は、袋内方へＶ字形に突出形成されているＶ形ヒートシール部分であって、このＶ形ヒートシール部分に対応して、少なくとも片側の積層フィルムのシーラントフィルムと基材フィルムとの積層接着面にインク層が形成されていることを特徴とする電子レンジ加熱調理用密封袋。
【請求項２】
内面がシーラントフィルムである積層フィルムより製袋されてなり、電子レンジ加熱食品を充填して開口を密封し食品包装体として電子レンジで加熱して袋が膨脹し破袋する前に剥離して袋内蒸気を逃がす蒸気逃がし用シール形状部を合掌部ヒートシール部に備えている電子レンジ加熱調理用密封袋において、前記蒸気逃がし用シール形状部は、袋内方へＶ字形に突出形成されているＶ形ヒートシール部分であって、このＶ形ヒートシール部分に対応して、少なくとも片側の積層フィルムのシーラントフィルムと基材フィルムとの積層接着面にインク層が形成されており、さらに、前記Ｖ形ヒートシール部分のヒートシール強度が、他のヒートシール部のヒートシール強度よりも弱く設定されていることを特徴とする電子レンジ加熱調理用密封袋。
【請求項３】
請求項１または２記載の電子レンジ加熱調理用密封袋において、下面部と、前記下面部の開口側に重なる開口側上面部と、前記下面部の奥行側に重なる奥行側上面部とを有し、前記下面部に対して前記開口側上面部の両側縁および前記奥域側上面部の三方の側縁がヒートシールを施されているとともに前記開口側上面部と前記奥域側上面部とにフィルム合掌部が設けられこのフィルム合掌部に、前記蒸気逃がし用シール形状部を有するようにヒートシールを施されていることを特徴とする電子レンジ加熱調理用密封袋。
【考案の詳細な説明】
【技術分野】
【０００１】  本考案は、電子レンジ加熱食品を充填して開口を密封し食品包装体として電子レンジで加熱して袋が膨脹し破袋する前に剥離して袋内蒸気を逃がす蒸気逃がし用シール形状部を合掌部ヒートシール部に備えている電子レンジ加熱調理用密封袋に関するものである。
【背景技術】
【０００２】  内部に収容した冷凍食品、その他の各種食品を電子レンジで加熱するに際して、加熱時に袋内蒸気の圧力上昇によってヒートシール部の一部が開口し、容器の破裂、変形及び容器の破裂による内容物の吹きこぼれを防止できる電子レンジ加熱調理用包装袋が各種提案されている。【０００３】  特許文献１の図３に示す逃圧を行なうための易開封性シールは、シール強度を数値限定しても製造が困難であり、都合良く機能することはない。そこで、特許文献２に示す逃圧を行なうための易開封性シールが提案されている。この加熱処理用包装袋は、プラスチックフィルムにより成形された包装袋のシール部において、そのシール部の一箇所または複数箇所に易通蒸手段を設けた加熱処理用包装袋であり、前記易通蒸手段は、前記シール部の外側端縁から設けてシール巾を局所的に狭くした非シール部と、この非シール部に対応して包装袋の内側へ向かって該非シール部の内側縁から局所的に膨出させた膨出シール部とを備えて改善しているが、この袋も、シール強度を数値限定しても製造が困難であり、都合良く機能することはなく、有効な易通蒸手段とはなり得ない。そして、特許文献３が提案されており、ここで初めて有効な易通蒸手段が確保されている。
特許文献４も、特許文献１と同じで、逃圧を行なうための易開封性シールを都合良く機能することはない。【０００４】  特許文献５は、有効な易通蒸手段を備えた加熱処理用包装袋を最先に開示している。特許文献５の加熱処理用包装袋は、内面がシーラントフィルムである積層フィルムより製袋されてなり、電子レンジ加熱食品を充填して開口を密封し食品包装体として電子レンジで加熱し袋が膨脹したときに破袋する前に袋内蒸気を逃がす蒸気逃がし用シール形状部を備えており、前記蒸気逃がし用シール形状部は、蒸気逃がし用シール形状部は、ヒートシール部の内縁より袋内方へ∧字形に突出形成されているＶ形ヒートシール部分と、前記Ｖ形ヒートシール部分の剥離がヒートシールの内縁まで生じる前までに袋内と袋外とを連通する蒸気逃がし通路とからなり、蒸気逃がし通路は、前記Ｖ形ヒートシール部分に対応する前記合掌ヒートシール部の外縁であって最も袋内方に位置する部分が、前記合掌ヒートシール部の内縁にあるＶ形ヒートシール部分の両側のＶ形ヒートシール部分形成開始端同士を結んだ線よりも袋内方に位置していて、加熱時に袋内蒸気圧の上昇により前記Ｖ形ヒートシール部分が剥離して蒸気を逃がす構成である。【０００５】  特許文献５の蒸気逃がし用シール形状部の原理を迂回するために、前記蒸気逃がし用シール形状部は、Ｖ形ヒートシール部分と蒸気逃がし通路とからなり、蒸気逃がし通路は、前記Ｖ形ヒートシール部分に対応し、かつ、前記蒸気レベル位置ヒートシール部の内縁にあるＶ形ヒートシール部分の両側のＶ形ヒートシール部分形成開始端同士を結んだ線よりも袋内方に位置して設けられたパンチ穴又はノッチである構成としたものが提案されている。【０００６】  ところで、特許文献５の加熱処理用包装袋は、図６に示されるピロー包装袋に収容される冷凍食品等が加熱時に包装の厚みの半分の高さに近いレベルまで液面レベルが来るように多量に液を収容している食品であるときは、袋の破裂がなくても突部の開口から液が多量に吹きこぼれることが避けられない、という問題点が残っており、特許文献６は、包装体を自立させたとき、収納された内容物の上面より上部に合掌接合部が位置し、この合掌接合部に、加熱による包装体の内部圧力が上昇したとき、その逃圧を行なう易開封性シールを備えたことで、特許文献５の問題点を解消している。しかし、特許文献５の蒸気逃がし用シール形状部の原理を採用していないので、逃圧を行なう易開封性シールが機能しない。【０００７】  特許文献７，８，９の加熱処理用包装袋は、特許文献５の蒸気逃がし用シール形状部の原理をそっくり採用し、しかも、収納された内容物の上面より上部に開封すると開口が広がったままとなる蒸気逃がし用シール形状部を備えたことで、特許文献５の問題点を解消している。
【特許文献１】特開平０９−１５０８６４号公報、図３
【特許文献２】特開平１０−１０１１５４号公報、図３（ｃ）
【特許文献３】特開２００１−１０６２７０号公報、図３、図５
【特許文献４】特開平１１−２９１８１号公報
【特許文献５】特公平８−２５５８３号公報
【特許文献６】特開２０００−１８５７７７号公報
【特許文献７】特開２００２−０８００７２号公報
【特許文献８】特開２００２−１３７３１２号公報
【特許文献９】特開２００２−１３７３１３号公報
【考案の開示】
【考案が解決しようとする課題】
【０００８】  特許文献７，８，９について、本願の考案者が継続してテストを行ってきた結果、加熱時に袋内蒸気圧の上昇により両側部分が膨張してＶ形ヒートシール部分の内端の突部よりヒートシールが剥離して蒸気を逃がすことができることを１００％確認できたが、開封の仕方がまちまちになることが分かった。正常な蒸気を逃がし方は、Ｖ形ヒートシール部分の先端にシーラント内面同士の溶着が剥離する界面剥離が発生して、この界面剥離が剥離幅を次第に広げて両側のＶ形ヒートシール部分形成開始端同士を結んだ線付近まで進行して、合掌ヒートシール部の外縁の最も内縁寄りの未シール部分が袋内と連通する状態になることであるが、これ以外の蒸気を逃がし方が行われてしまう割合が多いことが分かった。【０００９】  具体的には、（１）Ｖ形ヒートシール部分の先端より界面剥離が起きて、次いで、シーラントの凝集破壊と接着剤層の層間剥離が伴なって合掌ヒートシール部の外縁の最も内縁寄りの未シール部分が袋内と連通する状態になる場合と、（２）Ｖ形ヒートシール部分の先端より界面剥離が起きて、次いで、シーラントの疑集破壊と接着剤層の層間剥離が伴なって合掌ヒートシール部の外縁の最も内縁寄りの未シール部分が袋内と連通することなくフィルムの厚み方向に引き避けて蒸気を逃がす場合とをそれぞれかなりの割合で生じた。
（１）の場合は、外観状正常な蒸気を逃がし方と同じであり、問題ないが、（２）の場合がかなりの割合で生じることは、品質要求が厳しい食品メーカーに商品として購入してもらえないのが現状である。【００１０】  Ｖ形ヒートシール部分について、イージーピールを用いると、シール強度が弱いので、袋内蒸気が必要とされる所要高圧になる前に、Ｖ形ヒートシール部分において界面剥離が容易に起きてしまう不具合があり、又、袋を誤って落したり踏んづけたりするときもＶ形ヒートシール部分において界面剥離が容易に起きて中身が出てしまう不具合がある。【００１１】  本考案は、上記事情に鑑み創案されたもので、特許文献５に開示された蒸気を逃がす原理を採用していて、上記の正常な蒸気を逃がし方、又はこれに準じる上記（１）による蒸気を逃がし方が１００％の確率で行なわれる、電子レンジ加熱調理用包装袋を提供することを目的としている。
【課題を解決するための手段】
【００１２】  上記目的を解決するために、本願第１の考案の電子レンジ加熱調理用包装袋は、内面がシーラントフィルムである積層フィルムより製袋されてなり、電子レンジ加熱食品を充填して開口を密封し食品包装体として電子レンジで加熱して袋が膨脹し破袋する前に剥離して袋内蒸気を逃がす蒸気逃がし用シール形状部を合掌部ヒートシール部に備えている電子レンジ加熱調理用密封袋において、前記蒸気逃がし用シール形状部は、袋内方へＶ字形に突出形成されているＶ形ヒートシール部分であって、このＶ形ヒートシール部分に対応して、少なくとも片側の積層フィルムのシーラントフィルムと基材フィルムとの積層接着面にインク層が形成されていることを特徴とする。【００１３】  本考案によれば、電子レンジ加熱により蒸気圧で袋が膨張を始めると、Ｖ形ヒートシール部分の周囲が膨張するのでＶ形ヒートシール部分のヒートシールを引き剥がす応力が大きく発生する。このＶ形ヒートシール部分に対応して、少なくとも片側の積層フィルムのシーラントフィルムと基材フィルムとの積層接着面にインク層が形成されているので、Ｖ形ヒートシール部分の層間剥離強度がインク層により弱く設定されているから、膨張が極度に達して袋の基材フィルムが延び始めると、Ｖ形ヒートシール部分の先端より界面剥離が発生し、更なる袋の膨張に伴って、この界面剥離が剥離幅を次第に広げていき、そのまま界面剥離が両側のＶ形ヒートシール部分形成開始端同士を結んだ線付近まで進行していくか、又は、界面剥離に替わりシーラントの凝集破壊と接着剤層の層間剥離が生じてこれが両側のＶ形ヒートシール部分形成開始端同士を結んだ線付近まで進行していき、袋内と袋外とを連通して蒸気を逃がすことができる。すなわち、本考案によれば、Ｖ形ヒートシール部分の剥離が進行していく途中で、基材フィルムが引き裂けてしまうことがなく、シーラントの接着が解離するかまたはシーラントが破れてシーラントと基材フィルムとの接着面が解離することにより、蒸気を逃がすことができる。【００１４】  上記目的を解決するために、本願第２の考案の電子レンジ加熱調理用包装袋は、内面がシーラントフィルムである積層フィルムより製袋されてなり、電子レンジ加熱食品を充填して開口を密封し食品包装体として電子レンジで加熱して袋が膨脹し破袋する前に剥離して袋内蒸気を逃がす蒸気逃がし用シール形状部を合掌部ヒートシール部に備えている電子レンジ加熱調理用密封袋において、前記蒸気逃がし用シール形状部は、袋内方へＶ字形に突出形成されているＶ形ヒートシール部分であって、このＶ形ヒートシール部分に対応して、少なくとも片側の積層フィルムのシーラントフィルムと基材フィルムとの積層接着面にインク層が形成されており、さらに、前記Ｖ形ヒートシール部分のヒートシール強度が、他のヒートシール部のヒートシール強度よりも弱く設定されていることを特徴とする。【００１５】  本考案によれば、電子レンジ加熱により蒸気圧で袋が膨張を始めると、Ｖ形ヒートシール部分の周囲が膨張するのでＶ形ヒートシール部分のヒートシールを引き剥がす応力が大きく発生する。Ｖ形ヒートシール部分のヒートシール強度が、他のヒートシール部のヒートシール強度よりも弱く設定さ���ているので、膨張が極度に達して袋の基材フィルムが延び始めると、Ｖ形ヒートシール部分よりヒートシールの接合が解離していき、Ｖ形ヒートシール部分以外におけるヒートシールの接合の解離の虞は無い。そしてこの場合、このＶ形ヒートシール部分に対応して、少なくとも片側の積層フィルムのシーラントフィルムと基材フィルムとの積層接着面にインク層が形成されているので、Ｖ形ヒートシール部分の層間剥離強度がインク層により弱く設定されているから、膨張が極度に達して袋の基材フィルムが延び始めると、Ｖ形ヒートシール部分の先端より界面剥離が発生し、更なる袋の膨張に伴って、この界面剥離が剥離幅を次第に広げていき、そのまま界面剥離が両側のＶ形ヒートシール部分形成開始端同士を結んだ線付近まで進行していくか、又は、界面剥離に替わりシーラントの凝集破壊と接着剤層の層間剥離が生じてこれが両側のＶ形ヒートシール部分形成開始端同士を結んだ線付近まで進行していき、袋内と袋外とを連通して蒸気を逃がすことができる。すなわち、本考案によれば、Ｖ形ヒートシール部分の剥離が容易に進行していき、基材フィルムが引き裂けてしまうことがなく、シーラントの接着が解離するかまたはシーラントが破れてシーラントと基材フィルムとの接着面が解離することにより、蒸気を逃がすことができる。【００１６】  上記目的を解決するために、本願第３の考案は、前記第１また第２考案の電子レンジ加熱調理用包装袋において、下面部と、前記下面部の開口側に重なる開口側上面部と、前記下面部の奥行側に重なる奥行側上面部とを有し、前記下面部に対して前記開口側上面部の両側縁および前記奥域側上面部の三方の側縁がヒートシールを施されているとともに前記開口側上面部と前記奥域側上面部とにフィルム合掌部が設けられこのフィルム合掌部に、前記蒸気逃がし用シール形状部を有するようにヒートシールを施されていることを特徴とする。【００１７】  本考案によれば、上面にウイング合掌部を有する三方シール袋形態の電子レンジ加熱調理用包装体であって、上記Ｖ形ヒートシール部分の剥離が容易に進行していき、基材フィルムが引き裂けてしまうことがなく、シーラントの接着が解離するかまたはシーラントが破れてシーラントと基材フィルムとの接着面が解離することにより、蒸気を逃がすことができる。
【考案の効果】
【００１８】  本願考案によれば、Ｖ形ヒートシール部分の剥離が進行していく途中で、基材フィルムが引き裂けてしまうことがなく、シーラントの接着が解離するかまたはシーラントが破れてシーラントと基材フィルムとの接着面が解離することにより、蒸気を逃がすことができる。
【考案を実施するための最良の形態】
【００１９】  以下に、本考案の実施形態を図面を用いて説明する。
［第一実施形態］
図１は、電子レンジ加熱調理用包装袋の斜視図を示す。
図１に示すように、この電子レンジ加熱調理用包装袋Ｐは、内面がシーラントフィルムである積層フィルムより製袋されてなる電子レンジ加熱調理用包装袋であり、下面部の両側縁と開口側上面部および奥域側上面部の両側縁にサイドシールが施され下面部と奥域側上面部の奥域端が閉じており、被包装物を収容する開口を有し他端が閉じていて、開口側上面部と奥域側上面部とが、フィルムが袋外方へ張出して合掌状に重なり張出端において分断している合掌部を備えており、この合掌部には、袋内部と連通する弓形の未シール部分を有するように合掌部ヒートシールが施されていて、この合掌部ヒートシールの略中央部には、電子レンジ加熱食品を充填して開口を密封し食品包装体として電子レンジで加熱し袋が膨脹し破袋する前に袋内蒸気を逃がす役割を果たす蒸気逃がし用シール形状部を備え、この蒸気逃がし用シール形状部は、前記弓形の未シール部分へＶ形に突出するＶ形ヒートシール部を有し、このＶ形ヒートシール部が、他のヒートシール部よりも少ない回数または低い温度でヒートシールされており、かつ少なくともＶ形ヒートシール部に対応する少なくとも片側の積層フィルムのシーラントフィルムの接着面にインク層が形成されている。【００２０】  この電子レンジ加熱調理用包装袋Ｐ１は、下面部１と、前記下面部１の開口４側に重なる開口側上面部２ａと、前記下面部１の奥行側に重なる奥行側上面部２ｂとを有し、前記下面部１に対して前記開口側上面部２ａの両側縁および前記奥域側上面部２ｂの三方の側縁がヒートシールを施されているとともに前記開口側上面部２ａと前記奥域側上面部２ｂとにフィルム合掌部６が設けられこのフィルム合掌部６に、前記蒸気逃がし用シール形状部を有するようにヒートシール８を施されている。
フィルム合掌部６は、端縁について、電子レンジ加熱食品を充填して開口を密封し食品包装体として電子レンジで加熱し袋が膨脹したときに破袋する前に袋内蒸気を逃がす役割を果たす蒸気逃がし用シール形状部を備えてヒートシールが施されている。【００２１】  フィルム合掌部６は、端縁について、その中央部に袋内方に∧字形に突出するＶ形ヒートシール部分７が施され、又、両側に帯状ヒートシール部分（蒸気レベル位置ヒートシール部）８，８が連続して施されている。帯状ヒートシール部分８は、該帯状ヒートシール部分の内縁におけるフィルム合掌部の両端における立ち上がり基端ａと、前記Ｖ形ヒートシール部分形成開始端の近傍ｂとが、袋外方側へ凸となる曲線（直線としても良い）９で結ばれていて、この曲線より張出側がヒートシールされてなる。【００２２】  蒸気逃がし用シール形状部は、ヒートシール形状として形成されているものであって、ヒートシール内縁形状が、Ｗ形の中央部のＶ形部分が袋内方へ突出するようにしてこのＷ形に形成されているとともに、ヒートシール外縁形状が、前記ヒートシール内縁形状の前記Ｖ形部分に対応してＶ形部分を有して形成されていて、前記ヒートシール外縁形状の前記Ｖ形部分の尖端を前記ヒートシール内縁形状の前記Ｖ形部分の両端ｂ，ｂ同士を結んだ線よりも袋内方に位置させるように形成されている。【００２３】  Ｖ形ヒートシール部分７のヒートシール強度を、帯状ヒートシール部分８，８のヒートシール強度よりも弱く設定するために、以下の二つの工夫がなされている。
第一の工夫は、フィルム合掌部６を構成している基材フィルムの少なくともＶ形ヒートシール部分７に対応するエリア（例えば図１において符号Ｋで示すハンチング部分）に例えば白インクのランダムなドット状、格子状、ストライプ状の裏刷り印刷を施して接着剤による接着力を弱めたことである。Ｖ形ヒートシール部分７に対応して裏刷り印刷を施すと、Ｖ形ヒートシール部分７において界面剥離が生じると、Ｖ形ヒートシール部分７の突出寸法の半分位が界面剥離して剥離線が長くなった段階で凝集破壊と層間剥離が発生し易くするのが好ましい。この基材フィルムへの裏刷り印刷は、フィルム合掌部６を倒したときに袋本体に密着する側に設けることが好ましい。【００２４】  第二の工夫は、ヒートシール回数又はヒートシール温度によりＶ形ヒートシール部分７のヒートシール強度と帯状ヒートシール部分８，８のヒートシール強度との差別化を図ったにしたことである。
具体的には、例えば、Ｖ形ヒートシール部分７と帯状ヒートシール部分８，８に対応した形状のヒートシーラを用い、このヒートシーラを低い温度（例えば１７０℃から１８０℃）に設定してかつヒートシーラを１回〜２回踏みとして、ヒートシールを施し、次いで、帯状ヒートシール部分８，８に対応した形状のヒートシーラを用い、このヒートシーラを高い温度（例えば２００℃から２１０℃）に設定してかつヒートシーラを１回〜３回踏みとしてヒートシールを施す。これにより、Ｖ形ヒートシール部分７は、帯状ヒートシール部分８，８よりも低い温度でかつ踏む回数を少なくヒートシールされ、従って、Ｖ形ヒートシール部分７のヒートシール強度は、帯状ヒートシール部分８，８のヒートシール強度よりも弱く設定され、しかも、Ｖ形ヒートシール部分７は、シーラントの溶着面にイージーピールをコートして溶着する場合よりも大きなヒートシール強度が得られる。【００２５】  図２（ａ）は、Ｖ形ヒートシール部分７と帯状ヒートシール部分８，８に対応した形状の第一のヒートシーラＨ１の正面図を示す。図２（ｂ）は、帯状ヒートシール部分８，８に対応した形状の第二のヒートシーラＨ２の正面図を示す。【００２６】  製造ラインにおいては、一又は二のヒートシールステイションに備えるＶ形ヒートシール部分７と帯状ヒートシール部分８，８に対応した形状の第一のヒートシーラＨ１で例えば１７０℃から１８０℃にてＶ形ヒートシール部分７と帯状ヒートシール部分８，８のヒートシールを施し、ライン下流側の他の一乃至三のヒートシールステイションに備える前記Ｖ形ヒートシール部分を含まない帯状ヒートシール部分８，８に対応した形状の第二のヒートシーラＨ２で例えば２００℃から２１０℃にて帯状ヒートシール部分８，８のヒートシールを施すことにより、Ｖ形ヒートシール部分７のヒートシール強度を帯状ヒートシール部分８，８のヒートシール強度よりも弱く設定する。なお、シーラントフィルムの例えば、ＣＰＰのヒートシール温度は約１１０℃〜１３０℃であり、融点は約１６０℃〜１７０℃であるが、第一のヒートシーラＨ１と第二のヒートシーラＨ２を融点よりも高くしているのは、製袋ラインでのシール時間を短くことと関係するものである。【００２７】  蒸気逃がし用シール形状部は、フィルム合掌部６が上面部２に設けられているから、袋内の電子レンジ加熱食品の上面レベルより上位置となる。サイドシール３，３のフィルム合掌部６の開口４側近傍には加熱調理後に開封するためのノッチ１１，１１が設けられている。【００２８】  図３は、電子レンジ加熱調理用密封包装体の斜視図を示す。この電子レンジ加熱調理用密封包装体は、電子レンジ加熱調理用密封包装体Ｐ１の開口４より冷凍食品あるいはフカヒレスープ等の加熱調理食品（被包装物）Ｓ１を収容して、該開口４の端縁にトップシール１０を施してなる。【００２９】  電子レンジ加熱調理用密封包装体を電子レンジで加熱すると、袋内の蒸気が高温・高圧になりパンパンに膨張する。すると、図４（ａ）に示すように、下面部１と上面部２でできている袋本体部分が垂直断面が円形になるように膨張すると共に、フィルム合掌部６の帯状ヒートシール部分８，８の内縁の曲線９，９で画成さ��た空間が膨張することにより、Ｖ形ヒートシール部分にヒートシールを引き剥がそうとする応力が大きく発生し、図４（ｂ）に示すように、Ｖ形ヒートシール部分７の内端よりヒートシールの剥離が行われていく。【００３０】  蒸気レベル位置ヒートシール部は、ヒートシールを重複されているか又は高い温度でヒートシールされているとともに、Ｖ形ヒートシール部分７は、蒸気レベル位置ヒートシール部よりも少ない回数または低い温度でヒートシールされており、少なくともＶ形ヒートシール部分に対応する少なくとも片側の積層フィルムのシーラントフィルムの接着面にインク層が形成されているから、Ｖ形ヒートシール部分７のヒートシール強度（界面剥離強度）と層間剥離強度が、Ｖ形ヒートシール部分を設けている両側のヒートシール部よりも弱く設定されているので、袋の基材フィルムが延び始めると、Ｖ形ヒートシール部分の先端より界面剥離が発生し、更なる袋の膨張に伴って、この界面剥離が剥離幅を次第に広げていき、そのまま界面剥離が両側のＶ形ヒートシール部分形成開始端同士を結んだ線付近まで進行していくか、又は、界面剥離に替わりシーラントの凝集破壊と接着剤層の層間剥離が生じてこれが両側のＶ形ヒートシール部分形成開始端同士を結んだ線付近まで進行していく。【００３１】  そして、蒸気逃がし用シール形状部を、袋内の電子レンジ加熱食品の上面レベルより上位置となる蒸気レベル位置ヒートシール部に備えているから、内容物の吹きこぼれを防止でき、袋内の液汁が漏れ出ることがない。複数回の重複ヒートシールによりＶ形ヒートシール部分のヒートシール強度（界面剥離強度）が当該Ｖ形ヒートシール部分を設けている両側のヒートシール部よりも弱く設定されており、又、インク層によりＶ形ヒートシール部分の層間剥離強度が弱く設定されているものの、ヒートシール強度（界面剥離強度）は、Ｖ形ヒートシール部分にイージーピールを用いてヒートシールを弱く設定するのに比べて必要十分なヒートシール強度（界面剥離強度）が得られるので、電子レンジ加熱調理用包装袋を落したり、踏んづけても、Ｖ形ヒートシール部分より容易に開封してしまう、ということはない。【００３２】  袋内の圧力は、蒸気の発生が蒸気の逃げと均衡するようになるまでは上昇し、Ｖ形ヒートシール部分７のヒートシールを内端より剥離を持続して開口を大きくしていき、開口の大きさが３ｍｍφ〜４ｍｍφ位になると、蒸気の発生量と高圧蒸気の逃げる量が略平衡して袋内蒸気の圧力上昇が停止し剥離を停止する。【００３３】  フィルム合掌部６の帯状ヒートシール部分８，８の内縁の曲線９，９で区画された空間の膨張は、下面部１と上面部２でできている袋本体部分の膨張の上に重なっていて、かつ、Ｖ形ヒートシール部分７が全開せず∧字の偏平部が残るので、Ｖ形ヒートシール部分７の両側で対称的に盛り上がる空間になり、これがフィルム合掌部６を構成している二枚のフィルムの中央部の両側が持ち上がろうとする応力として作用して、図４（ｃ）に示すように、Ｖ形ヒートシール部分７の外縁の三角形の未溶着部分７ａがラッパ状に開かれる。
このため、袋内に多量の液があっても、高圧蒸気を逃がす開口が十分に大きく高い位置に確保されるので、多量の液汁があっても吹きこぼれしない。【００３４】  加熱を止めて電子レンジから取り出すと、袋内が陰圧になるが、高圧蒸気を逃がす開口が十分に大きく確保されているので、袋内温度の冷却に対応して高圧蒸気を逃がす開口から僅かずつ外気が流入し、これにシーラントフィルムが延伸による若干の形状保持機能を有するので、袋が潰れることがないから、袋内の液汁が開口から漏れ出ることがない。【００３５】  以上、図面を参照して本考案の電子レンジ加熱調理用包装袋    の実施形態を詳述してきたが、本考案は、この実施形態に限定されるものでなく、要旨を逸脱しない範囲で種々の設計変更をした形態を含むものである。【００３６】  本考案の電子レンジ加熱調理用包装袋は、三方シール袋に限定されるものでなく、例えば、ピロー包装袋である場合も含む。【００３７】  本考案の電子レンジ加熱調理用包装袋は、例えば、裏刷り印刷された二軸延伸ナイロンフィルム（ＯＮＹ）や二軸延伸ポリエチレンテレフタレート（Ｏ−ＰＥＴ）の基材フィルムと、高密度ポリエチレン（ＨＤＰＥ）、未延伸ポリプロピレン（ＣＰＰ）、低密度ポリエチレン（ＬＤＰＥ）、又は直鎖状ポリエチレン（ＬＬＤＰＥ）のシーラントフィルムとをドライラミネータで接着剤により積層してなる積層フィルムを用いて製袋することができる。基材フィルムへの裏刷り印刷と同時にＶ形ヒートシール部分への印刷を行う。【００３８】  本考案の電子レンジ加熱調理用包装袋は、Ｖ形ヒートシール部分を設けるフィルム合掌部の全幅に対応して、少なくとも片側の積層フィルムのシーラントフィルムの接着面にインク層が形成されている場合も含む。インク層を形成する印刷は、ドット状、市松模様状、ストライプ状にして層間剥離強度を調整することが好ましい。【００３９】  本考案の電子レンジ加熱調理用包装袋は、第一のヒートシーラＨ１と第二のヒートシーラＨとにより、Ｖ形ヒートシール部分７と帯状ヒートシール部分８，８とのヒートシール強度（界面剥離強度）を差別化することに限定されない。第一のヒートシーラをＶ形ヒートシール部分７より若干大きいヒートシーラとしても良い。
【図面の簡単な説明】
【００４０】
【図１】上面に合掌ヒートシール部を有する三方シール包装袋である電子レンジ加熱調理用包装袋の斜視図を示す。
【図２】（ａ）は、Ｖ形ヒートシール部分と帯状ヒートシール部分に対応した形状の第一のヒートシーラの正面図を示す。（ｂ）は、帯状ヒートシール部分に対応した形状の第二のヒートシーラの正面図を示す。
【図３】電子レンジ加熱調理用密封包装体の斜視図を示す。
【図４】（ａ）は、図１（ｂ）の被包装物を収容した電子レンジ加熱調理用包装袋を電子レンジで加熱したときの膨張した状態を示す側面図、（ｂ）は加熱による高圧膨張時に蒸気を逃がすＶ形ヒートシール部分のヒートシールの剥離が行われ開口ができることを説明するための要部拡大図、（ｃ）は被包装物を収容した電子レンジ加熱調理用包装袋を電子レンジで加熱したときの膨張した状態を示す斜視図である。
【符号の説明】
【００４１】Ｐ１  電子レンジ加熱調理用包装袋
１    下面部
２ａ  開口側上面部
２ｂ  奥行側上面部
３    サイドシール
４    開口
５    エンドシール
６    フィルム合掌部
７    Ｖ形ヒートシール部分
８    帯状ヒートシール部分（蒸気レベル位置ヒートシール部）
９    帯状ヒートシール部分の内縁
Ｓ１  被包装物
１０  トップシール
１１  ノッチ
【図１】
0003134158.tif 000003
【図２】
0003134158.tif 000004
【図３】
0003134158.tif 000005
【図４】
0003134158.tif 000006